(57)【要約】【課題】ＲＡＭカートリッジとＢＤカートリッジとを共に載置するためには、側壁を低くすることが要請されるため、ＲＡＭカートリッジｏ予備日Ｄカートリッジの載置精度が低下する。【解決手段】カートリッジ載置面２から立設する一対の側壁３、４と、当該側壁３及び４から連接する前側壁５を備えたトレイに、ＲＡＭカートリッジとＢＤカートリッジとを載置するトレイ１であって、一対の側壁３、４の頂上とカートリッジ載置面２との間の距離よりも、カートリッジ載置面２からの距離が高い一対の側壁突出部９、１０を備えることにより、ＲＡＭカートリッジ及びＢＤカートリッジをトレイ１に載置する際に、当該側壁突出部にカートリッジの側面を摺動させることで、安定した載置が可能となる。【選択図】図１
2005108322.tif 000002
【特許請求の範囲】
【請求項１】
情報媒体を回転自在に内包する略長方形形状面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジを載置するトレイであって、
前記第１のカートリッジを載置するカートリッジ載置面と、
前記窓部に係合し、前記カートリッジ載置面の一部を切り欠く開口部と、
前記カートリッジ載置面から立設する一対の側壁と、
前記一対の側壁に連接し前記後側面と係合する前壁と、
前記カートリッジ載置面から前記前壁の頂上までの距離より、前記カートリッジ載置面から頂上までの距離の方が長い側壁突出部を、前記一対の側壁に備えることを特徴とするトレイ。
【請求項２】
情報媒体を回転自在に内包する略長方形形状面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジを載置するトレイであって、
前記第１のカートリッジを載置するカートリッジ載置面と、
前記窓部に係合し、前記カートリッジ載置面の一部を切り欠く開口部と、
前記カートリッジ載置面から立設する一対の側壁と、
前記一対の側壁に連接し、前記後側面と係合する前壁と、
前記開口部における前記一対の側壁の近傍に、前記カートリッジ載置面から陥没し前記シャッタ規制部が没入する溝部を備えることを特徴とするトレイ。
【請求項３】
情報媒体を回転自在に内包する略長方形形状面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジを載置するトレイであって、
前記第１のカートリッジを載置するカートリッジ載置面と、
前記窓部に係合し、前記カートリッジ載置面の一部を切り欠く開口部と、
前記カートリッジ載置面から立設する一対の側壁と、
前記一対の側壁に連接し、前記後側面と係合する前壁と、
前記カートリッジ載置面の前記一対の側壁近傍に、前記前側面と前記後側面との略中間部が当接する前記カートリッジ載置面から、前記前側面及び前記後側面がそれぞれ当接する前記カートリッジ載置面にかけて円弧状の凹部を備えたことを特徴とするトレイ。
【請求項４】
前記カートリッジ載置面に、情報媒体を内包する略正方形形状平面を有する上ハーフ及び下ハーフと、前記下ハーフの一部を切り欠き前記情報媒体の一部を露出する窓部と、前記窓部を開閉するシャッタと、前記上ハーフ及び前記下ハーフから立設する一対の側面と、前記一対の側面を連接し前記シャッタと係合する前側面と、前記前側面に対向する後側面とを備えた第２のカートリッジも載置することを特徴とする請求項１〜３何れかに記載のトレイ。
【請求項５】
情報媒体を回転自在に内包する略長方形形状平面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジ、
及び、
情報媒体を内包する略正方形形状平面を有する上ハーフ及び下ハーフと、前記下ハーフの一部を切り欠き前記情報媒体の一部を露出する窓部と、前記窓部を開閉するシャッタと、前記上ハーフ及び前記下ハーフから立設する一対の側面と、前記一対の側面を連接し前記シャッタと係合する前側面と、前記前側面に対向する後側面とを備えた第２のカートリッジを載置するトレイであって、
前記第１のカートリッジ及び前記第２のカートリッジを載置するカートリッジ載置面と、
前記窓部に係合し、前記カートリッジ載置面の一部を切り欠く開口部と、
前記カートリッジ載置面から立設する一対の側壁と、
前記一対の側壁に連接し、前記第１のカートリッジの後側面及び前記第２のカートリッジの後側面それぞれと係合する前壁と、
前記第１のカートリッジの前記後側面近傍であって前記上ハーフまたは前記下ハーフの何れかから立設する前記一対の側面の一方の側面から他方の側面に向かう凹状にそれぞれ形成した第１の一対の表裏検出孔、及び前記第２のカートリッジの前記後側面近傍であって前記下ハーフから立設する前記一対の側面の一方の側面から他方の側面に向かう凹状にそれぞれ形成した第２の一対の表裏検出穴それぞれに係合し、前記カートリッジ載置面上での前記第１のカートリッジ及び前記第２のカートリッジの表裏を規制する一対の表裏検出凸部を前記カートリッジ載置面の前記一対の側壁に備え、
前記カートリッジ載置面における前記一対の表裏検出凸部の内法の距離が、前記第１のカートリッジの前記一対の側面の外法の距離よりも長く、前記第２の一対の表裏検出穴の内法の距離より未満の構成を有することを特徴とするトレイ。
【発明の詳細な説明】
【技術分野】
【０００１】
本発明は、映像用、音楽用、コンピュータ・データ用等の情報記録媒体であるディスクあるいはディスクを収納したカートリッジを載置するトレイに関する。
【背景技術】
【０００２】
近年、映画等のコンテンツが記録されたＤＶＤ−ＶＩＤＥＯディスクやコンピュータのデータを記録再生する例えばＣＤ−ＲＷ等のカートリッジに挿入されていないベアディスクと、ＰＤディスクまたはＤＶＤ−ＲＡＭディスク等記録型情報媒体が内包されたカートリッジ（以下、ＲＡＭカートリッジと称す）とを選択的に装填できるディスク装置が普及している。
【０００３】
ところでＲＡＭカートリッジは、略長方形形状の上ハーフと下ハーフとの間に記録型情報媒体（すなわち、ＰＤディスクやＤＶＤ−ＲＡＭディスク等）を回転可能に収納し、上ハーフ及び下ハーフそれぞれに該記録型情報媒体の一部を露出する開口窓を有し、当該開口窓を開閉するシャッタを上ハーフ及び下ハーフそれぞれに備え、上ハーフ及び下ハーフとからそれぞれ立設する一対の側面と、該一対の側面を連接しシャッタと係合する前側面と、前側面に対向する後側面とを有する。
【０００４】
シャッタは、前側面側に備えた窪みまたは突出部を押圧し、上ハーフ及び下ハーフの主面を一対の側面に直交する方向に摺動することで開閉動作を行う。また、開口窓部を開放状態にした位置にシャッタを位置規制するシャッタ規制部を、上ハーフ及び下ハーフのシャッタ摺動面よりシャッタの厚み分程度高く突出して側面部に備える。
【０００５】
さらに、ＲＡＭカートリッジには、一方の側面から他方の側面に向かう方向（以下、幅方向と称す）に凹状に形成した表裏検出孔を備え、トレイの一対の側壁からそれぞれ突出した表裏検出凸部が当該表裏検出孔に遊挿する。この表裏検出孔は、ＲＡＭカートリッジが内包する記録型情報媒体のタイプによってその形態が変化する。すなわち、両面に情報層を備えた記録型情報媒体は、両面に備える情報層に対して情報信号を記録再生する必要性から、ＲＡＭカートリッジもトレイに対して表裏どちらでも載置できるように表裏検出孔は上ハーフから下ハーフまで貫通するいわゆる貫通孔で形成されるが、片面にのみ情報層を備える片面タイプでは記録型情報媒体の情報層を備えない面に記録再生動作をさせないため、表裏検出孔は上ハーフを貫通しない非貫通のいわゆる穴状である（以下、ＲＡＭカートリッジの表裏検出部を表裏検出孔と称す）。また、この表裏検出孔は表裏検出凸部と係合することでＲＡＭカートリッジの表裏を検出するだけでなく、カートリッジ載置面への大まかな位置を規制する役目も担う。なお、表裏検出孔は一般的に後側面近傍に備える。
【０００６】
このようなベアディスクとカートリッジとが装填可能なディスク装置として、例えば特許文献１が知られている。特許文献１には、ＲＡＭカートリッジを載置するカートリッジ載置面と、ベアディスクを載置するカートリッジ載置面から段差を設けたディスク載置面と、カートリッジ載置面からＲＡＭカートリッジの厚さに略等しい一対の側壁及び当該側壁に連接する前壁と、ベアディスクの外周と中心孔とを把持しディスク載置面に対しベアディスクを出し入れする、及びＲＡＭカートリッジの上下ハーフを把持してカートリッジ載置面からカートリッジを取り出すように前壁の略中央部及び当該前壁の中央部に連接するカートリッジ載置面に切り欠きを備えたトレイを開示している。
【特許文献１】特開平１０−１９９０８９号公報（段落番号００２４〜同００２８、同００５０、図１、同３、同１７及び同１８）
【発明の開示】
【発明が解決しようとする課題】
【０００７】
トレイの一対の側壁及び前壁のカートリッジ載置面からの高さは、特許文献１に開示されているように略ＲＡＭカートリッジの厚みとすると、トレイの所定位置にＲＡＭカートリッジを載置する際に位置決めが容易であるため好ましいが、ベアディスクを載置する際には前壁または側壁にベアディスクの情報層が当接し易いと共に、トレイからベアディスクを取り出す際にも前壁または側壁にベアディスクの外周部が当接し当該外周部に損傷を与える可能性があるため、ベアディスクの観点からは側壁及び／または前壁の高さは低い方が好ましい。上述の理由で、特許文献１に開示されているトレイ構成は理想的とは言えない。
【０００８】
また、近年記録型情報媒体としてＤＶＤ−ＲＡＭ、ＤＶＤ−Ｒ、ＤＶＤ−ＲＷ、ＤＶＤ＋Ｒ及びＤＶＤ＋ＲＷ（以下、これらを記録型ＤＶＤと称す）よりも５倍以上の記録密度を有するブルーレイディスク（以下、ＢＤと称す）が開発され、当該ＢＤにも専用のカートリッジ（以下、ＢＤカートリッジと称す）が提案されている。当該ＢＤは１．１ｍｍ厚の基板と０．１ｍｍ厚の基板とを貼り合わせた界面に、青色光を照射して相変化を生起する情報層を設けた構成を有し、青色光は０．１ｍｍ厚の基板側から照射する。
【０００９】
ＢＤカートリッジは上ハーフと下ハーフとを備えるが、０．１ｍｍ厚の基板側を下ハーフ側とし、下ハーフにのみＢＤの一部を露出する開口部を備える。また、ＢＤカートリッジの上ハーフ及び下ハーフのＢＤに平行な面の基本形状は略正方形形状で、上ハーフ及び下ハーフから立設する一対の側面と、開口部を開閉するシャッタと係合する前側面は、該一対の側面をかまぼこ形状で連接し、当該前面に対向する後面は平坦な３つの面が連接した形状である。
【００１０】
ＢＤカートリッジの開口部は、シャッタの回動によって開閉動作を行う。回動による開閉動作であるため、ＢＤカートリッジの一方の側面におけるカートリッジ厚み方向の略中央部に、ＢＤを記録再生するディスク装置に備えるシャッタオープナが回動係合する構成を採用している。
【００１１】
また、ＢＤは上述したように０．１ｍｍ厚の基板側から記録再生する構成の片面タイプであるため、ＢＤカートリッジのシャッタは前述したように下ハーフにのみ備え、ＢＤカートリッジを裏返す必要はない。従って、ＢＤカートリッジはトレイ上で裏返して載置されないように表裏検出機能は必須であり、その機能は上述の片面タイプの記録型情報媒体を内包するＲＡＭカートリッジと同様に、上ハーフまで貫通しない非貫通のいわゆる穴状の表裏検出穴を、一方の側面から他方の側面に向かう方向、すなわち幅方向に凹状に備える。また、表裏検出穴は、ＲＡＭカートリッジにおける表裏検出孔と同様に、カートリッジ載置面に対しＢＤカートリッジの大まかな位置を規制する役目も担う。なお、ＢＤカートリッジの表裏検出穴も、ＲＡＭカートリッジと同様に一般的に後側面近傍に備える。
【００１２】
一方、ＢＤを記録再生するディスク装置はＢＤカートリッジを取り扱うため、カートリッジローディングの点ではトレイを備える構成が有利で、しかも同一ディスク装置でＢＤカートリッジだけでなく、ＲＡＭカートリッジ及びベアディスクにも対応できるトレイを備えるディスク装置が要望される。しかしながら、ＲＡＭカートリッジとＢＤカートリッジとの外形寸法は、前側面と後側面との距離（以下、長さ方向の距離と称す）はＲＡＭカートリッジの方が長く、一対の側面の距離、すなわち幅方向の距離はＢＤカートリッジの方が長い。
【００１３】
以上のようにＲＡＭカートリッジとＢＤカートリッジとでは寸法が異なるため、ＢＤカートリッジ、ＲＡＭカートリッジ及びベアディスクを取り扱うトレイは、ＲＡＭカートリッジとベアディスクとを取り扱うトレイに比べカートリッジ載置面の面積が異なると同時に、上述のようにシャッタ開放動作を行う係合がＲＡＭカートリッジとＢＤカートリッジとで異なり、しかもＢＤカートリッジは一方の側面の略中央部にシャッタに係合する係合部を備えるため、カートリッジ載置面から立設する側壁の高さをＢＤカートリッジの厚みの１／３から１／４程度にする必要がある。
【００１４】
このように、側壁を低くするとベアディスクの載置に際しては有利ではあるが、ＲＡＭカートリッジ及びＢＤカートリッジの載置に関しては、側壁でガイドでき難いため、ＲＡＭカートリッジ及び／またはＢＤカートリッジをユーザーが載置する際に、カートリッジ載置面に正確に載置していないことに気が付かず、ローディング動作を実行し、誤装着したカートリッジがローディング途中でディスク装置のトレイ引込口に挟まり、トレイの引込も引き出しもできない可能性が発生する課題がある。
【００１５】
この課題は、ＢＤカートリッジよりもＲＡＭカートリッジの方が発生し易い。それは、ＢＤカートリッジをトレイに装着する際は、ＢＤカートリッジの前側面のかまぼこ形状をなす側面が、カートリッジ載置面に備える光ピックアップやスピンドルモータが挿入する切り欠き部の側辺に摺動させながらトレイに装着すると、トレイの側壁上に乗り上げる課題は比較的低くすることができるが、ＲＡＭカートリッジの上ハーフ及び下ハーフに備えるシャッタ規制部の突出は、カートリッジ載置面に当接するだけで切り欠き部には何等係合しないため、トレイの側壁の高さが低いと誤ってトレイ側壁の上にＲＡＭカートリッジが乗り上げた状態でユーザーがローディング操作する可能性が高くなるためである。
【００１６】
また、上述したように立設高さを低く構成した側壁に乗り上げる可能性は低いＢＤカートリッジであっても、トレイのカートリッジ載置面に装着する際に必ずしもユーザーがトレイの切り欠き部の側辺に沿ってＢＤカートリッジの前側壁を摺動する保証はなく、当該前側壁をカートリッジ載置面から浮かせて装着することも想定され、この場合には上述のＲＡＭカートリッジの装着よりも側壁にＢＤカートリッジを乗り上げる可能性が高い。さらに、ＲＡＭカートリッジであっても必ずしもカートリッジ載置面に摺動しながら装着する保証がない。従って、ベアディスクの載置性を考慮して側壁を低く構成する、またはＢＤカートリッジとＲＡＭカートリッジとを共通して載置するため側壁を低く構成する何れの場合であっても、ＲＡＭカートリッジ及び／またはＢＤカートリッジが側壁に乗り上げることで、トレイ引込口に誤載置したカートリッジが挟まり、トレイの引き出しも引込もできなく、トレイ、カートリッジまたはディスク装置自体に損傷を与える危惧がある。
【００１７】
さらに、ＲＡＭカートリッジ及びＢＤカートリッジに適用する材質はＡＢＳ樹脂、ＡＳ樹脂等の比較的硬度が高い樹脂が適用されるが、樹脂成形過程や上ハーフと下ハーフとの貼合過程等で歪みが生じ、歪みに起因してカートリッジに反りが発生する場合が多い。カートリッジの反りは規格で規定されてはいるが、最大で０．２５ｍｍの反りであれば規格上では許容される。また、カートリッジをトレイに載置するディスク装置では、例えば外乱やスピンドルモータ等による振動によりカートリッジがトレイ上で揺動し、カートリッジがカートリッジ載置面からずれが生じる不備を防止するため、トレイに対してカートリッジを押圧する押圧手段をディスク装置が有するが、当該押圧手段に押圧力によってもカートリッジが撓み、トレイ上でのカートリッジの反りとなる。しかもトレイも樹脂成形で製造されるため、カートリッジと同様に反りが発生する。従って、カートリッジの反り、押圧手段の押圧力、及び／または反りとトレイの反りの３者が相俟って、カートリッジのトレイへの載置精度が劣化、表裏検出孔または表裏検出穴と表裏検出凸部との遊挿関係を維持できない等の課題もある。
【００１８】
また、ＢＤカートリッジに備える表裏検出穴に一対の表裏検出凸部が遊挿係合するためには、表裏検出凸部の内法の距離はＢＤカートリッジの一対の側面の外法よりも長く、表裏検出穴のＢＤカートリッジ幅方向の深さ未満であれば遊挿係合関係は維持できる。ところで、前述したようにＲＡＭカートリッジの幅はＢＤカートリッジの幅よりも狭い構成を備えているため、このＢＤカートリッジにおける表裏検出の遊挿関係は、当該表裏検出凸部の内法の距離がＲＡＭカートリッジの側面の外法の距離以下であっても維持できることとなる。しかしながら、当該一対の表裏検出凸部の内法の距離がＲＡＭカートリッジの幅の距離未満であればＲＡＭカートリッジの表裏検出機能とＲＡＭカートリッジの大まかな位置決め機能は損なわれ、また距離が等しい場合にはＲＡＭカートリッジの側面が表裏検出凸部の間に嵌合し、ＲＡＭカートリッジをトレイから取り出せない課題がある。
【００１９】
本発明は、係る従来の課題を解決するもので、トレイに対しＲＡＭカートリッジ及び／またはＲＡＭカートリッジとＢＤカートリッジとの載置精度を向上できるトレイの構造を提供することを目的とする。
【課題を解決するための手段】
【００２０】
上記課題を解決するため、本発明のトレイは、情報媒体を回転自在に内包する略長方形形状面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジを載置するトレイであって、前記第１のカートリッジを載置するカートリッジ載置面と、前記窓部に係合し、前記カートリッジ載置面の一部を切り欠く開口部と、前記カートリッジ載置面から立設する一対の側壁と、前記一対の側壁に連接し前記後側面と係合する前壁と、前記カートリッジ載置面から前記前壁の頂上までの距離より、前記カートリッジ載置面から頂上までの距離の方が長い側壁突出部を、前記一対の側壁に備える構成を有する。
【００２１】
また、本発明のトレイは、情報媒体を回転自在に内包する略長方形形状面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジを載置するトレイであって、前記第１のカートリッジを載置するカートリッジ載置面と、前記窓部に係合し、前記カートリッジ載置面の一部を切り欠く開口部と、前記カートリッジ載置面から立設する一対の側壁と、前記一対の側壁に連接し、前記後側面と係合する前壁と、前記開口部における前記一対の側壁の近傍に、前記カートリッジ載置面から陥没し前記シャッタ規制部が没入する溝部を備える構成を有する。
【００２２】
また、本発明のトレイは、情報媒体を回転自在に内包する略長方形形状面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジを載置するトレイであって、前記第１のカートリッジを載置するカートリッジ載置面と、前記窓部に係合し、前記カートリッジ載置面の一部を切り欠く開口部と、前記カートリッジ載置面から立設する一対の側壁と、前記一対の側壁に連接し、前記後側面と係合する前壁と、前記カートリッジ載置面の前記一対の側壁近傍に、前記前側面と前記後側面との略中間部が当接する前記カートリッジ載置面から、前記前側面及び前記後側面がそれぞれ当接する前記カートリッジ載置面にかけて円弧状の凹部とを備えた構成を有する。
【００２３】
また、本発明のトレイは、情報媒体を回転自在に内包する略長方形形状平面を有する上ハーフ及び下ハーフと、前記上ハーフ及び前記下ハーフの一部を切り欠き前記情報媒体の一部を露出する窓部と、前記上ハーフ及び前記下ハーフと摺動し前記窓部を開閉するシャッタと、前記上ハーフ及び前記下ハーフから立設する一対の側面と、前記一対の側面を連接し前記シャッタと係合する前側面と、前記前側面に対向する後側面と、前記シャッタに摺動係合し開閉動作方向に対し垂直方向の位置を規制するシャッタ係合部と、前記シャッタに当接係合することで前記シャッタの開放位置を規制するシャッタ規制部とを備えた第１のカートリッジ、及び、情報媒体を内包する略正方形形状平面を有する上ハーフ及び下ハーフと、前記下ハーフの一部を切り欠き前記情報媒体の一部を露出する窓部と、前記窓部を開閉するシャッタと、前記上ハーフ及び前記下ハーフから立設する一対の側面と、前記一対の側面を連接し前記シャッタと係合する前側面と、前記前側面に対向する後側面とを備えた第２のカートリッジを載置するトレイであって、前記第１のカートリッジ及び前記第２のカートリッジを載置するカートリッジ載置面と、前記窓部に係合し、前記カートリッジ載置面の一部を切り欠く開口部と、前記カートリッジ載置面から立設する一対の側壁と、前記一対の側壁に連接し、前記第１のカートリッジの後側面及び前記第２のカートリッジの後側面それぞれと係合する前壁と、前記第１のカートリッジの前記後側面近傍であって前記上ハーフまたは前記下ハーフの何れかから立設する前記一対の側面の一方の側面から他方の側面に向かう凹状にそれぞれ形成した第１の一対の表裏検出孔、及び前記第２のカートリッジの前記後側面近傍であって前記下ハーフから立設する前記一対の側面の一方の側面から他方の側面に向かう凹状にそれぞれ形成した第２の一対の表裏検出穴それぞれに係合し、前記カートリッジ載置面上での前記第１のカートリッジ及び前記第２のカートリッジの表裏を規制する一対の表裏検出凸部を前記カートリッジ載置面の前記一対の側壁に備え、前記カートリッジ載置面における前記一対の表裏検出凸部の内法の距離が、前記第１のカートリッジの前記一対の側面の外法の距離よりも長く、前記第２の一対の表裏検出穴の内法の距離より未満の構成を有する。
【発明の効果】
【００２４】
本発明のトレイは、カートリッジ載置面から前壁の頂上までの距離より、カートリッジ載置面から頂上までの距離の方が長い側壁突出部を側壁に備えるため、第１のカートリッジをトレイに装着する祭に、当該側壁突出部がガイドとなり、第１のカートリッジをトレイに正確に装着することができる効果がある。
【００２５】
また、本発明のトレイは、上下ハーフの外形形状が略長方形で、上下ハーフ面を摺動するシャッタの開放位置を規制するシャッタ規制部を上下ハーフの側壁に突出して備える第１のカートリッジを載置する場合に、トレイの開口部における側壁の近傍にカートリッジ載置面から陥没した溝部を備えるため、当該溝部にシャッタ規制部が没入し、第１のカートリッジの側面と側壁との係合面積を増加させることができるため、第１のカートリッジの載置精度を向上できる効果がある。
【００２６】
また、本発明のトレイは、第１のカートリッジの前側面と後側面との略昼間部が当接するカートリッジ載置面から、前側面及び後側面がそれぞれ当接するカートリッジ載置面にかけて円弧状の凹部を備えるため、そりや歪等がカートリッジ及び／またはトレイに存在する場合でも、カートリッジ載置面に設けた円弧状の凹部にカートリッジが沿い載置することができ、カートリッジ載置面上でのカートリッジに浮きに起因するカートリッジの位置決め不良及び／または表裏検出不良を抑制できる効果がある。
【００２７】
また、上記何れかのトレイのカートリッジ載置面に、上ハーフ及び下ハーフの外形形状が略正方形で、上下ハーフから立設する一対の側壁と、一対の側壁を連接するかまぼこ形状の前側壁とを有する第２のカートリッジも載置できる構成にすると、外形形状が異なる複数のカートリッジに対応できる効果がある。
【００２８】
また、本発明のカートリッジは、一対の側面の外法間の距離が第１のカートリッジの方が第２のカートリッジより短く、トレイの一対の側壁に備える一対の表裏検出凸部が第１のカートリッジ及び第２のカートリッジそれぞれに備える一対の表裏検出孔及び表裏検出穴と遊挿係合し、一対の表裏検出凸部の内法の距離が第１のカートリッジの一対の側面の外法の距離よりも長く、第２の一対の表裏検出穴の内法の距離未満であるため、トレイ上で第１のカートリッジ及び第２のカートリッジの表裏を正確に検出できると同時に、第１のカートリッジの側面が表裏検出凸部の間に嵌合しトレイから挿脱できないと言う課題を解消できる効果がある。
【発明を実施するための最良の形態】
【００２９】
以下、本発明のトレイの一実施形態を図面を参照して説明する。先ず、本発明のトレイに載置できる情報媒体及びカートリッジの一例について説明する。図２（Ａ）は、例えば音楽情報を予め記録したＣＤオーディオディスク、コンピュータプログラムやデータを追記できるＣＤ−ＲＷまたはＣＤ−Ｒと称される記録型ディスク、映画等の長時間の動画音声を予め記録したＤＶＤビデオディスク、または映画等の長時間の動画音声を記録できるいわゆる記録型ＤＶＤ等のカートリッジに収納されていない裸状態の情報媒体（以下、ベアディスクと称す）１００で、ベアディスクの中心には記録・再生及び／または消去装置（以下、ディスク装置と称す）のターンテーブルに装着し情報媒体を回転する中心孔１０１を備える。ベアディスクは直径が１２ｃｍと８ｃｍが主に流通している。
【００３０】
同図（Ｂ）は、第１のカートリッジの一例を説明する平面図で、カートリッジ２００は例えば記録型ＤＶＤ等の情報媒体２０１を回転自在に内包し、情報媒体２０１の一部を露出する窓部を開閉するシャッタ２０２、シャッタ２０２が係合し当該略長方形の外形を備えた上下ハーフから立設する前側面２０３、前側面２０３から突出しシャッター摺動面を摺動するシャッタ２０２を連接するシャッタ突出部２０４、上下ハーフから立設する一対の側面２０５及び２０６、当該側面２０５及び２０６それぞれの端部には上下ハーフのシャッタ摺動面から略シャッタ２０２の厚み程度突出するシャッタ２０２の開放位置を規定するシャッタ規制部２０７及び２０８、前側面２０３と対向する後側面２０９、カートリッジ２００の表裏を検出する表裏検出孔２１０及び２１１、カートリッジ２００がディスク装置のターンテーブル及び光ヘッドとの位置決めをするアライメントピンが挿入するアライメント孔２１２及び２１３とを備える。なお、情報媒体２０１は両面に情報層を備えるいわゆる両面タイプであるため、カートリッジ２００も裏返してトレイに載置する必要性から、表裏検出孔２１０及び２１１は貫通孔であり、同図（Ｂ）に示している平面図と同一形状で上下ハーフを形成している。なお、シャッタ２０２の窓部に対する開放・閉塞動作は、シャッタ突出部２０４の突出側部にディスク装置のシャッタオープナが係合することで側面２０５または２０６の方向（以下、幅方向と称す）である。
【００３１】
図３（Ａ）及び（Ｂ）は図２（Ｂ）とは異なる第１のカートリッジの一例を示し、同図（Ａ）はカートリッジ３００をトレイに載置する方向（一般的に下ハーフと称される）から見た平面図、同図（Ｂ）は下ハーフと対向する上ハーフから見た平面図で、カートリッジ３００が内包する情報媒体３０１は、片面にのみ情報層を有するいわゆる片面タイプの情報媒体である。カートリッジ３００も、図２（Ｂ）と同様に、シャッター３０２、前側面３０３、シャッター突出部３０４、側面３０５及び３０６、シャッタ規制部３０７及び３０８を備える。但し、情報媒体３０１は片面タイプであるため、同図（Ａ）はトレイに載置するが同図（Ｂ）はトレイに載置することを避ける必要性から、表裏検出孔３１０及び３１１と、アライメント孔３１２及び３１３とは共に非貫通の穴状である。従って、カートリッジ３００を構成する上下ハーフの形状は、表裏検出孔３１０、３１１とアライメント孔３１２、３１３の構成のみが相違し、外形寸法等は同一である。なお、シャッタ３０２の窓部に対する開放・閉塞動作は、シャッタ２０２と同様にカートリッジ３００の幅方向である。
【００３２】
図４（Ａ）及び（Ｂ）は、上記何れのカートリッジと異なる外形形状を備えた第２のカートリッジの一例を示し、同図（Ａ）はカートリッジ４００をトレイに載置する下ハーフから見た平面図、同図（Ｂ）は下ハーフと対向する上ハーフから見た平面図で、カートリッジ４００の上下ハーフは基本的に正方形形状を有する。カートリッジ４００が内包する情報媒体４０１は情報媒体１００、２００及び３００より５倍以上の記録密度を有する青色光で記録・再生及び／または消去する情報媒体（以下、ＢＤと称す）で、ＢＤ４０１の同図（Ａ）側は０．１ｍｍ厚の基板を備え、同図（Ｂ）側は１．１ｍｍ厚の基板を備え、情報層は０．１ｍｍ厚の基板側のみに備える。カートリッジ４００も上下ハーフから立設する一対の側面４０２及び４０３を有し、側面４０２及び４０３を連接する前側面４０４はかまぼこ形状を呈し、下ハーフにはＢＤ４０１の一部を露出する窓部を備え、当該窓部を開放・閉塞するシャッタ４０５が前側面４０４に係合する。シャッタ４０５の開放・閉塞動作は、一方の側面（図では４０２）の略中央部に形成した回動凹部にディスク装置のシャッタオープナが係合することで回動動作で行う。かまぼこ形状の前側面４０４と対向する後面は平板状の３つの後側面４０８、４０７及び４０９が連接する。ＢＤ４０１は上述したように片面タイプであるため、カートリッジ３００と同様にカートリッジ４００の表裏を検出する表裏検出孔４１０及び４１１は非貫通の穴状であることが必須となり、同様にアライメント孔４１２及び４１３も非貫通である。以下、カートリッジ４００の表裏検出孔４１０及び４１１、アライメント穴４１２及び４１３を、表裏検出孔３１０及び３１１、アライメント孔３１２及び３１３と区別するため、それぞれ表裏検出穴及びアライメント穴と称す。なお、カートリッジ２００及び３００とカートリッジ４００との外形上の相違点は、上下ハーフの面形状、幅方向の長さ（カートリッジ４００の方が５ｍｍ程度長い）、及び幅方向に直交する前側壁と後側壁との長さ（前側面の最も突出した部位で計測すると４ｍｍ程度、カートリッジ２００及び３００が備えるシャッタ規制部で計測すると６ｍｍ程度、シャッタ突出部２０４及び３０４で計測すると９ｍｍ程度それぞれカートリッジ４００の方が短い）の３点である。
【００３３】
次に、本発明のトレイの実施形態を説明するが、適用する第１のカートリッジとしては片面タイプの情報媒体を内包するカートリッジ３００、第２のカートリッジとしてはカートリッジ４００を例に挙げ説明する。
【００３４】
（実施の形態１）
図１は、本発明に適用できるトレイの一実施態様を示す斜視図であり、１はトレイ、２はカートリッジ３００及びカートリッジ４００を載置するカートリッジ載置面、３及び４はカートリッジ載置面２から立設する側壁、５は側壁３及び４に連接する前側壁であり、前側壁５は中央部で分割されている。６は不図示のディスク装置のターンテーブル及び光ピックアップが挿入する切り欠き、７はベアディスク１００を載置するベアディスク載置面であり、前述したようにベアディスク１００は１２ｃｍと８ｃｍとの対応できるため２段構成を採り、それぞれのベアディスク載置面は０．２ｍｍ程度の高さを有する斜面部を含み１．５ｍｍ程度である。８はシャッタ突出部３０４に係合しシャッタ３０２の開放・閉塞動作を担うシャッタオープナ、９及び１０は側壁３、４、及び前側壁５よりもカートリッジ載置面からの距離が高い側壁突出部である。１１及び１２は、表裏検出孔３１０及び３１１、表裏検出穴４１０及び４１１に遊挿する表裏検出凸部（１２は、側壁突出部１０で隠れている）、１３はカートリッジ４００を載置するカートリッジ載置面、１４は切り欠き６を構成する切り欠き側辺、１５はカートリッジ３００及び４００を付勢するスライダーである。
【００３５】
上記構成を有する本実施形態のトレイの動作を説明する。図５は、本実施形態のトレイ１にカートリッジ３００を載置すると中の状態を説明する図で、（Ａ）は要部平面図で、（Ｂ）は要部断面図である。カートリッジ３００をトレイ１に装着する際には、トレイ１は不図示のディスク装置のトレイ挿脱口から出ているため、トレイ挿脱口側（図１のＹ２方向）に下げ、カートリッジ載置面３にカートリッジ３００の下げた方向を摺動または摺動に近いようにすることが多い。
【００３６】
しかしながら、例えばシャッタ開放・閉塞動作が側壁の方から行うカートリッジ４００と共用するため、同図（Ｂ）に示すように側壁３がカートリッジ３００の厚みより低い場合には、カートリッジ載置面に摺動または摺動に近い状態にカートリッジ３００を傾けたとしても、側壁３００に沿ってカートリッジ３００を装着できず、側壁３または４の上面にカートリッジが乗り上げる場合がある。このように、カートリッジ３００が側壁３または４の上に乗り上げて状態であることをユーザーが気が付かずに、トレイ１をディスク装置の内部に引き入れるローディングを開始すると、側壁３または４の上に乗り上げたカートリッジ３００がトレイ挿脱口に当接し、トレイが引き入れられないと同時に、トレイを搬出できなく、装置またはカートリッジ３００を破損する可能性がある。
【００３７】
本実施形態のトレイ１では、カートリッジ３００を傾けてトレイ１に装着する際に、同図（Ｂ）に示すように側壁突出部９及び１０（９のみを図示）の間にカートリッジ３００の側面３０５及び３０６が沿うことで、トレイ１に対してカートリッジ３００を真っ直ぐに装着でき、上述のような不測の事態を抑制することができ、カートリッジ３００をトレイ１に正常に装着後、表裏検出孔３１０及び３１１に表裏検出凸部１１及び１２が係合すると共に、アライメント孔３１２及び３１３に対しても不図示のアライメントピンが正確に係合し、カートリッジ３００がスライダー１５を摺動させ、正確に載置することができる。
【００３８】
また、カートリッジ４００の装着に際しては、上述したように前側面４０４が切り欠き側辺１４を摺動しながら装着するため、カートリッジ３００に比べると側壁３及び４に乗り上げる可能性は低いが、ユーザーは必ず切り欠き側辺１４に前側面４０４を摺動させるとは限らないため、カートリッジ３００を同様の作用によりトレイ１への載置精度を向上することができ、カートリッジ４００をトレイ１に正常に装着後、表裏検出穴４１０及び４１１に表裏検出凸部１１及び１２が係合すると共に、アライメント孔４１２及び４１３に対しても不図示のアライメントピンが正確に係合し、カートリッジ４００がスライダー１５を摺動させ、正確に載置することができる。
【００３９】
（実施の形態２）
本発明のトレイに係る他の実施形態を説明する。図７は本実施形態のトレイ２１を説明する斜視図で、図１と同様の機能を有する構成要素は同じ符号を付し、説明は省略する。本実施形態のトレイ２１が実施形態１のトレイ１と相違する点は、トレイ１が有する側壁突出部９及び１０を取り除き側壁３及び４の上面を面一にすると共に、表裏検出凸部１１及び１２を側壁３及び４と面一にした点、及びトレイ２１のスライダー１５側（切り欠き６を備える側）の側壁３及び４の近傍にカートリッジ載置面２よりも陥没した溝部２４及び２５を設けた点である。
【００４０】
図８はトレイ２１にカートリッジ３００を装着途中の状態を説明し、（Ａ）は平面図、（Ｂ）は断面図である。同図（Ｂ）に示すように、溝部２４及び２５（２４のみを図示）に対し、カートリッジ３００のシャッタ規制部３０８及び３０７（図では３０８の場合）の突出分が溝部に入り込むことにより、溝部２４及び２５の深さ分だけ側壁３及び４と側面３０６及び３０５との係合面積が増加し、側壁３または４からカートリッジ３００の側面３０５または３０６がズレ、側壁３または４上にカートリッジ３００が乗り上げる課題が解消できる。この溝部２４及び２５の深さとしては、上限としてはシャッター規制部３０７及び３０８が前側面３０３から突出する長さ（斜めに係合するため、突出長さではない）分を越えると、前側面３０３がカートリッジ載置面２と摺動するだけであるため３ｍｍ程度で良く、下限としては若干でも溝の深さがあると効果はあるが、顕著な効果を引き出す深さは大凡０．５ｍｍ程度からである。なお、同図（Ｃ）に示したように、実施形態１に示したトレイ１に本実施形態の溝部２４を備える構成とすると、溝部２４及び２５と側壁３及び４との位置決めと同時に、側壁突出部９及び１０によるカートリッジ３００の位置期生の効果も相俟って、同図（Ｃ）に示したように側壁３及び４のカートリッジ載置面２からの高さをより低くしても、側壁３または４にカートリッジが乗り上げる課題を回避できる。
【００４１】
（実施の形態３）
本発明のトレイに係る別の実施形態を図９を参照して説明する。カートリッジ３００と４００との２種類の回とりっじを載置するためには、カートリッジ３００及び４００の表裏を検出するため、前述したようにトレイには表裏検出凸部１１、１２（１１、１２、２２または２３の何れでも良いが、代表して１１と１２とを図示）の内法の間隔Ｌ１と、回とりっじ４００に比べ幅が狭いカートリッジ３００の幅Ｌ２との関係が重要である。つまり、Ｌ１がＬ２よりも広い場合には、表裏検出凸部１１と１２とはカートリッジ３００の表裏は検出できず、また、Ｌ１がＬ２と等しい場合には、トレイがカートリッジ４００にも対応できるため、側壁３と４との内法の距離はカートリッジ３００の側面の外法の距離より大きく、カートリッジ３００をトレイに装着する際に装着方向が曲がるとカートリッジ３００が表裏検出凸部１１と１２との間に嵌合してしまい、カートリッジ３００をトレイから取り出せなくなる課題がある。また、同時に、表裏検出凸部１１及び１２は、カートリッジ４００の表裏検出穴４１０及び４１１に対して遊挿係合することが必要である。この要請を満足するためには、表裏検出凸部１１及び１２の内法の距離Ｌ１が、表裏検出穴４１０及び４１１の内法の距離Ｌ３以内である必要がある。しかしながら、Ｌ１の距離がＬ３の距離と等しい場合には、原理的には検出することはできるが、実際的は嵌合の問題及び製造誤差等があるため、Ｌ３はＬ１未満にする方が適している。なお、カートリッジ３００及び４００は表裏検出凸部１１及び１２に係合し、トレイを介してスピンドルモータ及び光ピックアップとの大まかな位置規制を行うが、正確にはアライメント孔３１２及び３１３、アライメント穴４１２及び４１３とアライメントピンとのよって行えると同時に、当該アライメント孔３１２及び３１３、アライメント穴４１２及び４１３によっても表裏検出機能はあるため、例えば表裏検出凸部１１及び１２のカートリッジ３００に対する表裏検出機能は無視し、表裏検出凸部１１及び１２のカートリッジ３００に対する機能は、カートリッジ３００のトレイに対する装着時のガイドとすることも想定され、この場合にはＬ１はＬ２未満であっても良い。
【００４２】
（実施の形態４）
本発明のトレイに係る他の実施形態を図１０と１１とを参照して説明する。カートリッジ３００及び４００は、前述したようにある程度硬度を有する樹脂で整形するが、形成途上、上ハーフと下ハーフとの貼合（例えば、熱融着、ビス留め等が一般的に適用される）工程の際等にカートリッジに歪みが発生し、当該歪みに起因してカートリッジに反りをもたらす場合がある。図１１（Ａ）は、カートリッジ４００がカートリッジ載置面２に対し理想的な載置関係を示す側断面図であり、カートリッジ載置面２に対しカートリッジ４００の下ハーフが面一であり、カートリッジ４００の載置面１３に対しても面一で係合し、表裏検出凸部１１についても表裏検出穴４１０に対して遊挿係合している。このカートリッジの反り量は規格でも０．２５ｍｍ以下と規定されているため、０．２５ｍｍであっても規格を満たすこととなる。同図（Ｂ）は、カートリッジ４００に規格以上の反りがある場合を示すが、カートリッジ載置面２に対しては一部しか下ハーフが載置しなく、カートリッジ載置面１３及び表裏検出凸部１１に対しては係合はしていない。これは、カートリッジ４００の反りが規格外である場合であるが、トレイの反り及びカートリッジ４００をトレイに対して付勢押圧する機構によってもカートリッジの反りが発生する。すなわち、トレイも樹脂成形品であり、ディスク装置の軽量・薄型の影響でトレイ自体の薄型の対する要望（カートリッジ４００のシャッタ係合部が側壁に存在する以外でも、この要望に応えるため、側壁３、４及び前側壁５の高さを低くすることが要請されている）に応えるため、益々成形歪みが発生し易く、それが下でトレイ自体も反りが発生し易く、製造メーカ独自の規定があるが、大凡０．２ｍｍ程度の反りは製造上の誤差として許容される傾向にある。その上、カートリッジ３００及び４００がトレイ上で揺動し、内包する情報媒体とターンテーブルとの係合にズレが生じる、光ピックアップの対物レンズが内包する情報媒体の情報層に接触する等の危険性があるため、カートリッジはトレイに対して付勢して固定する。この付勢力によっても、カートリッジに反りをもたらす要員となり、例えばカートリッジの前側壁と後側壁方向（以下、縦方向と称す）の中央部でカートリッジを付勢すると、０．２ｍｍ程度の反りをもたらす。このような各反りが、反対方向に働くと是正されるが、同一方向に働くと加算され、カートリッジ載置面２上にカートリッジ３００及び／または４００画面接触で載置されない場合がある。
【００４３】
そこで、本実施形態では、予めカートリッジ４００自体の反り、トレイ自体の反り、及びトレイに対しカートリッジ４００に作用する付勢力を鑑み、図１０の３２及び３３に示したように、カートリッジ４００の縦方向の中央部近傍がカートリッジ載置面に係合する近傍からトレイの前側壁及びスライダー側に円弧状凹部３２及び３３を備えることによって、図１１（Ｃ）に示すようにカートリッジ載置面１３及び表裏検出凸部１１に対して載置及び遊挿係合ができ、同図（Ｄ）に示したように反りを有していないカートリッジ４００であっても、カートリッジ４００のカートリッジ載置面１３及び表裏検出凸部１１及び１２近傍は円弧状凹部３２及び３３を備えていないため、載置関係及び遊挿係合関係は正常に維持できる。
【産業上の利用可能性】
【００４４】
本発明は、映像用、音楽用、コンピュータ・データ用等の情報記録媒体であるディスクあるいはディスクを収納したカートリッジを用いるディスク装置に関し、特に複数種のカートリッジを装着を可能とするするトレイに関しており、利用可能性は高い。
【図面の簡単な説明】
【００４５】
【図１】本発明の一実施形態に係るトレイの斜視図
【図２】（Ａ）はベアディスクの一例の平面図、（Ｂ）は第１のカートリッジの一例の平面図
【図３】（Ａ）は第１のカートリッジの別の例の平面図、（Ｂ）は同カートリッジの裏面図
【図４】（Ａ）は第２のカートリッジの一例の平面図、（Ｂ）は同カートリッジの裏面図
【図５】（Ａ）は同実施形態に係る第１のカートリッジをトレイに装着途中を説明する平面図、（Ｂ）は同側断面図
【図６】（Ａ）は同実施形態に係る第２のカートリッジをトレイに装着途中を説明する平面図、（Ｂ）は同側断面図
【図７】本発明の他の実施形態に係るトレイの斜視図
【図８】（Ａ）は同実施形態に係る第１のカートリッジをトレイに装着途中を説明する平面図、（Ｂ）は同側断面図、（Ｃ）は別の実施形態に係る第１のカートリッジをトレイに装着途中を説明する同側断面図
【図９】（Ａ）は本発明の他の実施形態に係る第１のカートリッジを正常に載置した状態を説明する断面図、（Ｂ）は同実施形態に係る第１のカートリッジを逆に載置した状態を説明する断面図、（Ｃ）は同実施形態に係る第２のカートリッジを正常に載置した状態を説明する断面図、（Ｄ）は同実施形態に係る第２のカートリッジを逆に載置した状態を説明する断面図
【図１０】本発明の別の実施形態に係るトレイの斜視図
【図１１】（Ａ）は従来のトレイに第２のカートリッジを載置した状態を説明する断面図、（Ｂ）は従来のトレイに歪みを有する第２のカートリッジを載置した状態を説明する断面図、（Ｃ）は同実施形態に係るトレイに歪みを有する第２のカートリッジを載置した状態を説明する断面図、（Ｄ）は同実施形態に係るトレイに第２のカートリッジを載置した状態を説明する断面図
【符号の説明】
【００４６】
１  トレイ
２  カートリッジ載置面
３、４  側壁
５  前側壁
６  切り欠き
７  ベアディスク載置面
９、１０  側壁突出部
１１、１２  表裏検出凸部
１３  第２のカートリッジ載置面
１５  スライダー
２４、２５  溝部
３２、３３  円弧状凹部
２００、３００  第１のカートリッジ
４００  第２のカートリッジ
【図１】
2005108322.tif 000003
【図２】
2005108322.tif 000004
【図３】
2005108322.tif 000005
【図４】
2005108322.tif 000006
【図５】
2005108322.tif 000007
【図６】
2005108322.tif 000008
【図７】
2005108322.tif 000009
【図８】
2005108322.tif 000010
【図９】
2005108322.tif 000011
【図１０】
2005108322.tif 000012
【図１１】
2005108322.tif 000013